(57)【特許請求の範囲】
【請求項１】
熱交換器（１）下方に配設されるドレンパン（２）の側壁（２ａ）においてドレンポンプ（３）の吸込口（３ａ）近傍を目視可能な位置に設けられた点検窓（４）を備えた室内機（５）であって、
前記点検窓（４）は、透明な板材からなる内窓（６）と、透明な板材からなる外窓（７）とが空気層（８）を挟んで互いに対向して配設された二重窓構造を有しており、且つ、
室内機（５）のケーシング（９）に、前記点検窓（４）を目視可能な開口部（１０）が形成されており、
前記外窓（７）の外側面の周縁が、発泡体からなるテープ材（１２）で密封されており、
前記ケーシング（９）の開口部（１０）が前記外窓（７）と対向する位置に形成されており、
前記開口部（１０）の機内側縁部に沿って押圧部材（１３）が配設されており、
ドレンパン（２）を前記ケーシング（９）内に配設したときに、前記押圧部材（１３）によって前記テープ材（１２）が内側に押圧され当該押圧部材（１３）とテープ材（１２）とで密封部が構成されていることを特徴とする、室内機（５）。
【請求項２】
前記ドレンパン（２）の側壁（２ａ）及び底部（２ｂ）の内面に防水シート（１１）が配設されており、
前記防水シート（１１）は、前記内窓（６）の位置に対応して当該内窓（６）よりわずかに小さな開口（１１ａ）を有しており、且つ、
前記開口（１１ａ）の周縁において、内窓（６）の内側面と防水シート（１１）の外側面とが密封されている、請求項１に記載の室内機（５）。
【請求項３】
前記密封がホットメルト接着剤によりなされている、請求項２に記載の室内機（５）。 
【請求項４】
前記押圧部材（１３）が連続気泡ポリエチレンフォームからなる、請求項１〜３のいずれかに記載の室内機（５）。
【請求項５】
前記内窓（６）及び外窓（７）がアクリル樹脂からなる、請求項１〜４のいずれかに記載の室内機（５）。
【請求項６】
前記アクリル樹脂がポリメチルメタクリレートである、請求項５に記載の室内機（５）。
【請求項７】
前記内窓（６）及び外窓（７）の厚さが、いずれも１〜３ｍｍであり、前記空気層（８）の厚さが１０〜１２ｍｍである、請求項１〜６のいずれかに記載の室内機（５）。
【請求項８】
前記点検窓（４）が、前記ドレンパン（２）の側壁（２ａ）において、窓面に実質的に垂直な方向からドレンポンプ（３）の吸込口（３ａ）近傍を目視可能な位置に配設されている、請求項１〜７のいずれかに記載の室内機（５）。
【発明の詳細な説明】
【技術分野】
【０００１】
本発明は室内機に関する。さらに詳しくは、特に天井裏に配設される室内機であって、当該室内機の熱交換器下方に配設されるドレンパン内の汚れを点検したり、ドレンポンプの稼動状態を確認したりするための点検窓を備えた室内機に関する。
【背景技術】
【０００２】
現在の建築物環境衛生管理基準（旧ビル管法）によれば、空気調和機の室内機は、定期的（１ヶ月に１度）にドレンパンの汚れを点検することが義務付けられている。かかるドレンパンの汚れ点検は、現状においては、室内機の運転を止めてから当該室内機のケーシングの一部をはずしてドレンパン内部を確認するか、又は、ドレンパンを装置から取り外して汚れを確認しており、狭い場所での作業であるため作業性が悪く、また、多くの工数を要する作業となっている。
【０００３】
そこで、ドレンパンを装置から取り外すことなく当該ドレンパン内の汚れを点検することができる室内機が提案されている（特許文献１参照）。この特許文献１記載の室内機では、図３に示されるように、ドレンパン３０は、樹脂成型されたドレンシート３１と、当該ドレンシート３１の下側を覆う発泡体３２とからなっており、このドレンシート３１にドレンＤが貯留される貯留部３３が形成されている。この貯留部３３は、透明な部材で作製されており、その内部にドレンポンプ３４の吸込み口３４ａが配設される。また、前記貯留部３３のうち、発泡体３２から外部に突出する部分は、同じく発泡体で作製された着脱可能なキャップ部材３５で覆われている。なお、図３において、３６は、排水口３７を閉止するための着脱自在の蓋である。
【０００４】
また、機外からの内部観察を可能にするために、ドレンパン近傍の室内機ケーシングの一部を透明部材で構成することも提案されている（特許文献２参照）。
【先行技術文献】
【特許文献】
【０００５】
【特許文献１】特開２００７−３０９５５８号公報
【特許文献２】特開２００７−３２７６８７号公報
【発明の概要】
【発明が解決しようとする課題】
【０００６】
特許文献１記載の室内機では、最も汚れやすいドレンポンプ下方のドレンパン底部を透明な貯留部を介して直接視認できるが、当該貯留部を確認するために室内機ケーシングの底部を取り外した後に、断熱用のキャップ部材を貯留部から取り外す工程が必要である。また、作業後のキャップ部材の装着忘れによって貯留部の下面付近に結露が発生し、その結露が機外に漏れるおそれがある。また、室内機の運転をと止めてからの作業となる。
【０００７】
また、特許文献２記載の室内機では、ドレンパンの点検に際し室内機を分解する工程が不要となるが、透明部材からなる点検窓が、ドレンポンプの吸込み口下方のドレンパンから離間した位置にあり、斜め上方からドレンパンの底部付近を観察することになるため、ドレンパンの様子を十分に確認するのが難しい。
【０００８】
本発明は、このような事情に鑑みてなされたものであり、装置を分解することなく、外部からドレンパンの様子を十分に且つ容易に確認することができる室内機を提供することを目的としている。
【課題を解決するための手段】
【０００９】
（１）本発明の室内機は、熱交換器下方に配設されるドレンパンの側壁においてドレンポンプの吸込口近傍を目視可能な位置に設けられた点検窓を備えた室内機であって、
前記点検窓は、透明な板材からなる内窓と、透明な板材からなる外窓とが空気層を挟んで互いに対向して配設された二重窓構造を有しており、且つ、
室内機のケーシングに、前記点検窓を目視可能な開口部が形成されており、
前記外窓の外側面の周縁が、発泡体からなるテープ材で密封されており、
前記ケーシングの開口部が前記外窓と対向する位置に形成されており、
前記開口部の機内側縁部に沿って押圧部材が配設されており、
ドレンパンを前記ケーシング内に配設したときに、前記押圧部材によって前記テープ材が内側に押圧され当該押圧部材とテープ材とで密封部が構成されていることを特徴としている。
【００１０】
本発明の室内機では、点検窓が、ドレンパンの側壁においてドレンポンプの吸込口近傍を目視可能な位置に設けられているので、汚れやすいドレンパンの底部付近を容易に且つ確実に視認することができる。また、点検窓は二重窓構造であるので断熱性が高く、冷房時におけるドレンパン内部の冷気によって点検窓の外面に結露が発生するのを防止することができる。さらに、室内機のケーシングに形成された開口部を介して点検窓、ひいてはドレンパン内を目視することができるので、従来のように室内機を分解する必要がなく、運転を止める必要もないので点検のための工数を大幅に減らすことができる。
しかも、テープ材という簡単な手段により外窓の外側面の周縁を密封することができ、押圧部材とテープ材とで密封部を構成することで、室内機内の冷風又は温風が外部に漏れるのを防止することができる。
【００１１】
（２）前記（１）の室内機において、前記ドレンパンの側壁及び底部の内面に防水シートが配設されており、
前記防水シートは、前記内窓の位置に対応して当該内窓よりわずかに小さな開口を有しており、且つ、
前記開口の周縁において、内窓の内側面と防水シートの外側面とが密封されていてもよい。この場合、内窓の内側面と防水シートの外側面とが密封されているので、ドレンパン内のドレンが点検窓を通って外部に漏れるのを防止することができる。
【００１２】
（３）前記（２）の室内機において、前記密封がホットメルト接着剤によりなされていてもよい。この場合、化学反応による接着によることなく、加熱により内窓の内側面と防水シートの外側面とを密封することができる。
【００１５】
（４）前記（１）〜（３）の室内機において、前記押圧部材が連続気泡ポリエチレンフォームからなっていてもよい。この場合、連続気泡ポリエチレンフォームは変形可能な材質であるので、押圧部材によってテープ材を内側に押圧する際に自身が変形をしてテープ材との間で密封部を構成することができる。
【００１６】
（５）前記（１）〜（４）の室内機において、前記内窓及び外窓がアクリル樹脂からなっていてもよい。この場合、内窓及び外窓を、耐熱性、耐候性及び強度に優れたものとすることができる。
【００１７】
（６）前記（５）の室内機において、前記アクリル樹脂がポリメチルメタクリレートであってもよい。この場合、内窓及び外窓を、耐熱性、耐候性及び強度に優れたものとすることができる。
【００１８】
（７）前記（１）〜（６）の室内機において、前記内窓及び外窓の厚さが、いずれも１〜３ｍｍであり、前記空気層の厚さが１０〜１２ｍｍであってもよい。この場合、点検窓の強度及び透明性を確保しつつ、断熱性を高めることができる。
【００１９】
（８）前記（１）〜（７）の室内機において、前記点検窓が、前記ドレンパンの側壁において、窓面に実質的に垂直な方向からドレンポンプの吸込口近傍を目視可能な位置に配設されていてもよい。この場合、点検窓の窓面の正面からドレンポンプの吸込口近傍を目視することができるので、汚れやすい部分を容易に且つ確実に視認することができる。
【発明の効果】
【００２０】
本発明の室内機によれば、装置を分解することなく、外部からドレンパンの様子を十分に且つ容易に確認することができる。
【図面の簡単な説明】
【００２１】
【図１】本発明の室内機の一実施の形態の概略説明図である。
【図２】図１に示される室外機の要部断面説明図である。
【図３】従来のドレンパン用点検部の断面説明図である。
【発明を実施するための形態】
【００２２】
以下、添付図面を参照しつつ、本発明の室内機の実施の形態を詳細に説明する。
図１は、本発明の一実施の形態に係る室内機５の概略説明図であり、図２は、図１に示される室内機５の要部断面説明図である。
【００２３】
室内機５は、空調室Ａの天井裏のスペースＳに配設されるタイプのものであり、そのケーシング９内には、熱交換器１及び送風機１５や、図示しない弁類などの公知の要素が配置されている。ケーシング９は、鋼板などで作製され、空調室Ａの上階の床スラブ１６に埋め込まれたボルトや吊金具１７などの固定具により当該床スラブ１６から吊り下げられている。
【００２４】
室内機５は、空調室Ａの天井１８に開口する吸込グリル１９及び吹出グリル２０とダクト２１を介して連結されている。吸込グリル１９から吸い込まれた空調室内の空気は、熱交換器１を通過することで冷却又は加熱され、吹出グリル２０から空調室内に吹き出される。なお、図１における符号２２は、吸込側及び吹出側の各ダクトの途中に配設された消音チャンバであり、符号２３は、室内機５とダクト２１との間に配設された振動吸収用のフレキシブルダクトである。
【００２５】
熱交換器１の下方にはドレンパン２が配設されており、このドレンパン２内に溜まったドレンは、ドレンポンプ３によって吸引され、ドレン配管２４を経由して機外に排出される。ケーシング９の側板９ａには、後述する点検窓の位置に合わせて当該点検窓を目視可能な開口部１０が形成されている。この開口部１０の下方における天井１８には、点検口２５が設けられており、作業員は、この点検口２５を開けて、天井裏に上半身を入れることで前記開口部１０からドレンパン２の内部、特にドレンポンプ３の吸込口３ａの近傍を目視することができる。
【００２６】
点検窓４は、合成樹脂発泡体からなるドレンパン２の側壁２ａにおいてドレンポンプ３の吸込口３ａ近傍を目視可能な位置に設けられている。点検窓４は、内窓６と外窓７とからなっており、当該内窓６と外窓７とが空気層８を挟んで互いに対向して配設された二重窓構造を有している。内窓６及び外窓７は、共に矩形の透明な板材で作製されている。板材の材質としては、透明であり一定の強度を有するものであれば、本発明において特に限定されることなく種々のものを用いることができるが、耐熱性、耐候性及び強度に優れている点より、ポリメチルメタクリレートなどのアクリル樹脂を用いるのが好ましい。
【００２７】
内窓６及び外窓７の大きさは、大きい方がドレンパン内部の観察が容易であるので好ましいが、ドレンパン２の側壁２ａの高さにより一定の制約を受け、通常は３５ｃｍ×４５ｃｍ程度である。内窓６、外窓７及び空気層８の各厚さは、点検窓４の強度、透明性及び断熱性などを考慮して適宜設定することができるが、通常、内窓６及び外窓７の厚さは、いずれも１〜３ｍｍ程度であり、また、空気層８の厚さは１０〜１２ｍｍ程度である。
【００２８】
ドレンパン２の側壁２ａ及び底部２ｂの内面には、ポリスチレン、塩化ビニル樹脂などの合成樹脂で作製された防水シート１１が配設されている。そして、前記点検窓４付近の防水シート１１には、点検窓４の内窓６の位置に対応して当該内窓６よりもわずかに小さな開口１１ａが形成されている。これにより、点検窓４及び開口１１ａを介してドレンパン内部の目視が可能となる。
【００２９】
防水シート１１の開口１１ａの周縁において、内窓６の内側面（ドレンパン内部側の面）と防水シート１１の外側面とがホットメルト接着剤により密封されている。また、外窓７の外側面の周縁は、発泡ポリスチレンからなるテープ材１２で密封されている。このように、内窓６及び外窓７の周縁を密封することで、ドレンパン内のドレンが、防水シート１１の開口１１ａの周縁から、内窓６及び外窓７の周縁とドレンパン２との接触部を通って外部に漏れるのを防止することができる。
【００３０】
また、ケーシング９に形成された開口部１０の機内側縁部に沿って連続発泡ポリエチレンフォームからなる押圧部材１３が配設されている。この押圧部材１３は、ドレンパン２をケーシング９内の所定位置に配設したときに、前記外窓７の周縁に設けられたテープ材１２と当接して当該テープ材１２を機内側に押圧し得る位置に配設されており、また、押圧し得るサイズに設定されている。かかる押圧部材１３とテープ材１２とが密接することで密封部が構成され、これにより、室内機５内の冷風又は温風が外部に漏れるのを防止することができる。押圧部材１３は、連続発泡ポリエチレンフォームで作製されているので変形が容易である。このため、押圧部材１３によってテープ材１２を機内側に押圧する際に自身が変形をしてテープ材１２との間に密封部を構成することができる。
【００３１】
本実施の形態では、点検窓４がドレンパン２の側壁２ａの下部に、より詳細には、点検窓４の内窓６の下端がドレンパン２の底部２ｂの上面と略一致するように形成されている。ドレンポンプ３の吸込口３ａは、ドレンパン２の底面付近に配置されるので、このように点検窓４をドレンパン２の側壁２ａの下部に形成することで、窓面に実質的に垂直な方向からドレンポンプ３の吸込口３ａ近傍を目視することができる。これにより、点検窓４の窓面の正面からドレンポンプ３の吸込口３ａ近傍を目視することができるので、汚れ易い部分を容易に且つ確実に視認することができる。
【００３２】
〔その他の変形例〕
なお、本発明の室内機は、前述した実施の形態に限定されるものではなく、特許請求の範囲内において種々の変形ないし変更が可能である。例えば、前述した実施の形態では、ドレンパンの側壁の下部に点検窓を形成しているが、ドレンポンプの吸込口が目視可能な位置である限り、ドレンパンの側壁の中央部又は上部に形成することも可能である。
【００３３】
また、前述した実施の形態では、点検窓の窓面が実質的に垂直であるが、ドレンパンの側壁が傾斜している場合、その傾斜に合わせて点検窓を傾斜させることもできる。
【００３４】
また、前述した実施の形態では、内窓及び外窓の形状を矩形にしているが、円形や楕円形など他の形状であっても良い。
【００３５】
また、前述した実施の形態では、内窓と外窓の厚さが同じであるが、異なる厚さであっても良い。
【符号の説明】
【００３６】
１      熱交換器
２      ドレンパン
２ａ    側壁
２ｂ    底部
３      ドレンポンプ
３ａ    吸込口
４      点検窓
５      室内機
６      内窓
７      外窓
８      空気層
９      ケーシング
９ａ    側板
１０      開口部
１１      防水シート
１１ａ    開口
１２      テープ材
１３      押圧部材
【図１】
0005494551.tif 000002
【図２】
0005494551.tif 000003
【図３】
0005494551.tif 000004